(57)【要約】【課題】乾燥運転中におけるヒータの出力時間を使用者が状況に応じて変更でき、乾燥運転における運転設定の操作性を向上させる浴室乾燥装置を提供することを目的とする。【解決手段】本発明の浴室乾燥装置は、浴室内を乾燥させる乾燥運転を行う浴室乾燥装置であって、空気を吸い込む吸込口と前記空気を吹き出す吹出口とを連通し、前記吸込口から吸い込まれた空気を前記吹出口へ導く内部流路と、前記内部流路に設けられ、前記吸込口から吸い込まれた前記内部流路の空気に流れを発生させるファンと、前記内部流路を流れる空気を加熱するヒータと、予め決められた前記ヒータの出力時間を有する乾燥運転を実行する乾燥運転実行手段と、予め決められた前記ヒータの出力時間を、使用者が入力部に入力した入力情報に基づき変更する出力時間変更手段と、を備えることを特徴とする。【選択図】図１
2014190652.tif 000002
【特許請求の範囲】
【請求項１】
浴室内を乾燥させる乾燥運転を行う浴室乾燥装置であって、
空気を吸い込む吸込口と前記空気を吹き出す吹出口とを連通し、前記吸込口から吸い込まれた空気を前記吹出口へ導く内部流路と、
前記内部流路に設けられ、前記吸込口から吸い込まれた前記内部流路の空気に流れを発生させるファンと、
前記内部流路を流れる空気を加熱するヒータと、
予め決められた前記ヒータの出力時間を有する乾燥運転を実行する乾燥運転実行手段と、
予め決められた前記ヒータの出力時間を、使用者が入力部に入力した入力情報に基づき変更する出力時間変更手段と、を備えることを特徴とする浴室乾燥装置。
【請求項２】
前記入力部は、前記乾燥運転を操作する操作部を有するコントローラに設けられることを特徴とする請求項１に記載の浴室乾燥装置。
【請求項３】
前記コントローラには、前記ヒータの出力時間を表示する表示部が設けられることを特徴とする請求項２に記載の浴室乾燥装置。
【請求項４】
前記出力時間変更手段は、予め決められた前記ヒータの出力時間を、使用者が複数の所定値から１つ選択して前記入力部に入力することにより変更することを特徴とする請求項１乃至請求項３の何れか１項に記載の浴室乾燥装置。
【請求項５】
前記所定値は、前記乾燥運転の運転時間における前記ヒータの出力を行う出力時間と前記ヒータの出力を行わない不出力時間との比率であることを特徴とする請求項４に記載の浴室乾燥装置。
【請求項６】
前記出力時間変更手段によって変更された前記ヒータの出力時間を、複数の温風乾燥時間に分け、前記複数の温風乾燥時間の間に前記ヒータの出力を行わず前記浴室の内部の空気を循環させる涼風乾燥時間を設けることを特徴とする請求項１乃至請求項５の何れか１項に記載の浴室乾燥装置。
【発明の詳細な説明】
【技術分野】
【０００１】
本発明の態様は、一般的に、浴室内を乾燥させる乾燥運転を行う浴室乾燥装置に関する。
【背景技術】
【０００２】
例えば、換気して浴室内の空気温度を浴室外と同等となるように促進し、所定時間経過時に浴室内空気の温度を検出し、浴室内空気の温度に応じて加熱手段を用いた乾燥運転時間を決定する乾燥運転の制御方法がある（特許文献１）。
【０００３】
特許文献１の乾燥運転の制御方法は、浴室内空気の温度に応じて加熱手段を用いた乾燥運転時間が適切に設定され、浴室内が乾燥した後に無駄な加熱手段を用いた乾燥運転時間にないように工夫されるため、乾燥運転によるエネルギーの浪費を防止できる。
【先行技術文献】
【特許文献】
【０００４】
【特許文献１】特開２０１０−１２４９４１号公報
【発明の概要】
【発明が解決しようとする課題】
【０００５】
しかしながら、特許文献１の乾燥運転の制御方法では、乾燥運転によるエネルギーの浪費を防止できるものの、加熱手段を用いた乾燥運転時間が自動的に設定されるため、洗濯物の量が想定以上である場合には、乾燥運転内に洗濯物を乾かすことができない。
【０００６】
また、特許文献１の乾燥運転の制御方法では、洗濯物ではなく浴室内の壁面などが乾燥対象である場合、衣類乾燥用の加熱手段を用いた乾燥運転時間で乾燥運転が行われ加熱手段を必要以上に用いることになるため、乾燥運転によるエネルギーの浪費が生じる。
【０００７】
また、加熱手段を用いた乾燥運転時間を変更する手段がないため、使用者が状況に応じてその乾燥運転時間を変更しようとしても、使用者が状況に応じてその乾燥運転時間を変更できず、乾燥運転における運転設定の操作性が悪いという課題があった。
【０００８】
本発明は、このような課題に鑑みてなされたものであり、その目的は、乾燥運転におけるヒータの出力時間を使用者が状況に応じて変更でき、乾燥運転における運転設定の操作性を向上できる浴室乾燥装置を提供することにある。
【０００９】
上記課題を解決するために本発明に係る浴室乾燥装置は、浴室内を乾燥させる乾燥運転を行う浴室乾燥装置であって、空気を吸い込む吸込口と前記空気を吹き出す吹出口とを連通し、前記吸込口から吸い込まれた空気を前記吹出口へ導く内部流路と、前記内部流路に設けられ、前記吸込口から吸い込まれた前記内部流路の空気に流れを発生させるファンと、前記内部流路を流れる空気を加熱するヒータと、予め決められた前記ヒータの出力時間を有する乾燥運転を実行する乾燥運転実行手段と、予め決められた前記ヒータの出力時間を、使用者が入力部に入力した入力情報に基づき変更する出力時間変更手段と、を備えることを特徴とする。
【００１０】
本発明の衣類乾燥装置では、予め決められたヒータの出力時間を、使用者が入力部に入力した入力情報に基づき変更する出力時間変更手段を備えるため、乾燥運転におけるヒータの出力時間を使用者が状況に応じて変更でき、乾燥運転における運転設定の操作性を向上できる。
【００１１】
また、本発明に係る浴室乾燥装置では、前記入力部は、前記乾燥運転を操作する操作部を有するコントローラに設けられることを特徴とすることも好ましい。
【００１２】
この好ましい態様では、設定されたヒータの出力時間を変更する際に、使用者が入力情報を入力する入力部が、コントローラの乾燥運転を操作する操作部と共に設けられているので、乾燥運転におけるヒータの出力時間を変更する操作がよりしやすくなる。
【００１３】
また、本発明に係る浴室乾燥装置では、前記コントローラには、前記ヒータの出力時間を表示する表示部が設けられることを特徴とすることも好ましい。
【００１４】
この好ましい態様では、設定されたヒータの出力時間を変更する際に、使用者がコントローラの表示部に表示されたヒータの出力時間を見ながら、ヒータへの出力時間の変更操作を行うことができるので、乾燥運転におけるヒータの出力時間を変更する操作がよりしやすくなる。
【００１５】
また、本発明に係る浴室乾燥装置では、前記出力時間変更手段は、予め決められた前記ヒータの出力時間を、使用者が複数の所定値から１つ選択して前記入力部に入力することにより変更することを特徴とすることも好ましい。
【００１６】
この好ましい態様では、予め決められたヒータの出力時間を変更する際に、細かな時間設定をすることなく、あらかじめ準備された候補の中から１つを選択するので、予め決められたヒータの出力時間を変更する操作をより簡略化することができ、乾燥運転におけるヒータの出力時間を変更する操作がよりしやすくなる。
【００１７】
また、本発明に係る浴室乾燥装置では、前記所定値は、前記乾燥運転の運転時間における前記ヒータの出力を行う出力時間と前記ヒータの出力を行わない不出力時間との比率であることを特徴とすることも好ましい。
【００１８】
この好ましい様態では、設定されたヒータの出力時間を変更する際に、乾燥運転におけるヒータの出力時間と不出力時間をそのまま示すのではなくそれらを割合で示すことにより、使用者が感覚的にイメージしやすくなるので、乾燥運転におけるヒータの出力時間を変更する操作がよりしやすくなる。
【００１９】
また、本発明に係る浴室乾燥装置では、前記出力時間変更手段によって変更された前記ヒータの出力時間を、複数の温風乾燥時間に分け、前記複数の温風乾燥時間の間に前記ヒータの出力を行わず前記浴室の内部の空気を循環させる涼風乾燥時間を設けることを特徴とすることも好ましい。
【００２０】
この好ましい態様では、ヒータの出力を行わない涼風の流れを利用して、涼風乾燥時間を設けずにヒータの出力を継続して行う乾燥運転に比べてヒータの出力時間を全体的に短縮することが可能になる。また、浴室の壁に蓄積された熱を衣類の方へ移動させ、衣類の乾燥を継続することができるため、省エネルギー化を図りつつ乾燥効率の向上を図ることができる。
【発明の効果】
【００２１】
本発明によれば、乾燥運転におけるヒータの出力時間を使用者が状況に応じて変更でき、乾燥運転における運転設定の操作性を向上できる。
【図面の簡単な説明】
【００２２】
【図１】本実施形態にかかる浴室乾燥装置を浴室に取り付けた状態を模式的に示す図である。
【図２】本実施形態にかかる浴室乾燥装置の要部構成を表すブロック図である。
【図３】本実施形態にかかる浴室乾燥装置の要部構成を表すブロック図である。
【図４】本実施形態にかかる浴室乾燥装置の断面を示す断面図である。
【図５】本具体例の暖房運転時におけるダンパの位置を表す模式的断面図である。
【図６】本具体例の温風乾燥運転および涼風乾燥運転時のダンパの位置を表す模式的断面図である。
【図７】本具体例の換気運転時のダンパの位置を表す模式的断面図である。
【図８】本実施形態にかかる浴室乾燥装置の断面を示す断面図である。
【図９】本実施形態にかかる浴室乾燥装置の動作の具体例を表す模式的概略図である。
【図１０】本実施形態にかかる浴室乾燥装置の動作の具体例を表す模式的概略図である。
【図１１】本実施形態にかかる浴室乾燥装置のコントローラを示す図である。
【図１２】乾燥運転におけるヒータを出力する出力時間とヒータを出力しない出力時間の一例を例示する表である。
【発明を実施するための形態】
【００２３】
以下、添付図面を参照しながら本発明の実施の形態について説明する。説明の理解を容易にするため、各図面において同一の構成要素に対しては可能な限り同一の符号を付して、重複する説明は省略する。
【００２４】
本発明の実施形態に係る浴室乾燥装置は、浴室内の空気を吸い込みヒータを経由させて浴室方向に吹き出す「暖房運転」と、浴室内の空気を吸い込みその一部はヒータを経由させて浴室方向に吹き出しながら、残りの空気は浴室外に排出する「乾燥運転」と、浴室内の空気を吸い込み浴室外に排出する「換気運転」と、を備える。
【００２５】
この浴室乾燥装置の配置態様について図１を参照しながら説明する。図１に示すように、浴室乾燥装置１００は、浴室１０の天井１１に取り付けられるものである。浴室乾燥装置１００は、浴室１０内の空気を吸い込みヒータ（図１においては明示しない）を経由させて浴室１０方向に空気を吹き出すことができる。また、浴室乾燥装置１００は、浴室１０内の空気を吸い込み、少なくともその一部をダクト１２を通して浴室外に排出することもできる。
【００２６】
上記の通り乾燥モードは、浴室１０内の空気を吸い込みその一部はヒータを経由させて浴室１０の方向に吹き出しながら、残りの空気は浴室１０外に排出する運転モードである。この乾燥モードにおいて浴室乾燥装置１００は、ヒータを経由させた空気を浴室１０の方向に吹き出すため、浴室１０内の気温は上昇する。
【００２７】
また、浴室１０から吸い込まれた空気の一部は、浴室１０内の水蒸気と共に浴室１０外に排出される。その結果、浴室１０内の湿度は効率的に低下することとなり、浴室乾燥装置１００の下方に洗濯後の衣類を吊り下げた状態で乾燥モードによる運転を行えば、浴室１０の壁面と共に衣類も短時間で乾燥させることができる。
【００２８】
本実施形態にかかる浴室乾燥装置１００は、例えば、浴室１０のみの換気を行う「１ファンタイプ」などと呼ばれる浴室乾燥装置１００ａと、浴室１０と浴室１０に隣接する洗面所やトイレなどとの換気を行う「２ファンタイプ」などと呼ばれる浴室乾燥装置１００ｂと、に分類される。
【００２９】
図２に表したように、「１ファンタイプ」の浴室乾燥装置１００ａは、内部流路１２５と、センサ１３１と、ファン１３３と、ダンパ１３５と、ヒータ１３７と、排出経路１２７と、制御手段１１０と、を備える。内部流路１２５は、空気を吸い込む吸込口１２１と空気を吹き出す吹出口１２３とを連通し、吸込口１２１から吸い込まれた空気を吹出口１２３へ導くことができる。ファン１３３は、吸込口１２１から空気を吸い込み、吸込口１２１から吸い込まれた内部流路１２５の空気に流れを発生させる。
【００３０】
ダンパ１３５は、適宜駆動することにより、ファン１３３から送られてきた空気を吹出口１２３へ向かう内部流路１２５へ送る割合と、排出経路１２７へ送る割合と、を変更する。排出経路１２７は、ダンパ１３５において内部流路１２５から分岐し、吸込口１２１から吸い込まれた内部流路１２５の空気の少なくとも一部を浴室１０の外部へ排出する。センサ１３１は、内部流路１２５を流れる空気の温度を検出することができる。制御手段１１０は、ファン１３３と、ダンパ１３５と、ヒータ１３７と、の動作を制御することができる。
【００３１】
図４は、本実施形態の浴室乾燥装置の具体例を例示する模式的断面図である。本具体例の浴室乾燥装置１００ａは、図２に関して前述したいわゆる「１ファンタイプ」の浴室乾燥装置である。図４〜図７に表したように、本具体例の浴室乾燥装置１００ａは、筐体１０１と、内部流路１２５と、センサ１３１と、ファン１３３と、ダンパ１３５と、ヒータ１３７と、排出経路１２７と、を備える。内部流路１２５と、センサ１３１と、ファン１３３と、ダンパ１３５と、ヒータ１３７と、排出経路１２７と、は、筐体１０１の内部に設けられている。
【００３２】
ここで、浴室乾燥装置１００ａが「暖房運転」を実行する場合には、図５に表したように、ダンパ１３５は、排出経路１２７を塞いでいる。そのため、図５に表した矢印Ａ１２のように、吸込口１２１から吸い込まれた内部流路１２５の空気の全てが吹出口１２３へ向かう内部流路１２５へ導かれる。そして、吹出口１２３へ向かう空気は、ヒータ１３７により暖められて温風として浴室１０の内部に送り込まれる。つまり、浴室乾燥装置１００ａが「暖房運転」を実行する場合には、浴室１０の内部の空気の換気は行われない。
【００３３】
また、浴室乾燥装置１００ａが「温風乾燥運転」および「涼風乾燥運転」を有する「乾燥運転」を実行する場合には、図６に表したように、ダンパ１３５は、排出経路１２７の一部を開放している。そのため、図６に表した矢印Ａ１３のように、吸込口１２１から吸い込まれた内部流路１２５の空気の一部は、排出経路１２７へ導かれ浴室１０の外部へ排出される。また、図６に表した矢印Ａ１４のように、吸込口１２１から吸い込まれた内部流路１２５の空気の他の一部は、吹出口１２３へ向かう内部流路１２５へ導かれる。
【００３４】
浴室乾燥装置１００ａが「乾燥運転」を実行する場合には、吸込口１２１から吸い込まれた内部流路１２５の空気の一部を換気する。「温風乾燥運転」の場合には、吹出口１２３へ向かう空気は、ヒータ１３７により暖められて温風として浴室１０の内部に送り込まれる。「涼風乾燥運転」の場合には、制御手段１１０がヒータの出力を停止し、吹出口１２３へ向かう空気は、ヒータ１３７で暖められず涼風として浴室１０の内部に送り込まれる。
【００３５】
また、浴室乾燥装置１００ａが「換気運転」を実行する場合には、図７に表したように、ダンパ１３５は、排出経路１２７を全開とし、吹出口１２３へ向かう内部流路１２５を塞いでいる。そのため、図７に表した矢印Ａ１５のように、吸込口１２１から吸い込まれた内部流路１２５の空気の全てが排出経路１２７へ導かれ浴室１０の外部へ排出される。
【００３６】
図３は、本実施形態にかかる浴室乾燥装置の要部構成を表すブロック図である。また、図８は、本実施形態の浴室乾燥装置の具体例を例示する模式的断面図である。本具体例の浴室乾燥装置１００ｂは、図３に示したいわゆる「２ファンタイプ」の浴室乾燥装置である。図８に表したように、本具体例の浴室乾燥装置１００ｂは、第１の筐体１０１ａと、第２の筐体１０１ｂと、内部流路１２５と、センサ１３１と、循環用ファン１３３ａと、換気用ファン１３３ｂと、ダンパ１３５と、ヒータ１３７と、排出経路１２７と、を備える。
【００３７】
内部流路１２５と、センサ１３１と、循環用ファン１３３ａと、ヒータ１３７と、は、第１の筐体１０１ａの内部に設けられている。また、換気用ファン１３３ｂと、排出経路１２７と、は、第２の筐体１０１ｂの内部に設けられている。また、ダンパ１３５は、第１の筐体１０１ａと第２の筐体１０１ｂとの接続部に設けられている。
【００３８】
第１の筐体１０１ａと第２の筐体１０１ｂとは、図示しない接続口により互いに連通している。そのため、例えば、図８に表したダンパ１３５ｂおよびダンパ１３５ｃのように、ダンパ１３５が開いている場合には、吸込口１２１から吸い込まれた内部流路１２５の空気の少なくとも一部は、排出経路１２７へ流れることができる。その他の構成および構造は、図３に示した通りである。
【００３９】
ここで、浴室乾燥装置１００ｂが「暖房運転」を実行する場合には、図８に表したダンパ１３５ａのように、ダンパ１３５は、接続口および排出経路１２７を塞いでいる。そのため、図８に表した矢印Ａ２１のように、吸込口１２１から吸い込まれた内部流路１２５の空気の全てが吹出口１２３へ向かう内部流路１２５へ導かれる。その他の空気の流れは、図４に関して前述した「１ファンタイプ」の浴室乾燥装置１００ａの「暖房運転」における空気の流れと同様である。
【００４０】
また、浴室乾燥装置１００ｂが「温風乾燥運転」および「涼風乾燥運転」を実行する場合には、図８に表したダンパ１３５ｂのように、ダンパ１３５は、接続口および排出経路１２７の一部を開放している。そのため、吸込口１２１から吸い込まれた内部流路１２５の空気の一部は、排出経路１２７へ導かれ、第２の筐体１０１ｂに設けられた排気用接続口１２９を通して浴室１０の外部へ排出される。その他の空気の流れは、図６に関して前述した「１ファンタイプ」の浴室乾燥装置１００ａの「温風乾燥運転」および「涼風乾燥運転」における空気の流れと同様である。
【００４１】
また、浴室乾燥装置１００ｂが「換気運転」を実行する場合には、図８に表したダンパ１３５ｃのように、ダンパ１３５は、接続口および排出経路１２７を全開としている。そのため、吸込口１２１から吸い込まれた内部流路１２５の空気の全てが排出経路１２７へ導かれ、排気用接続口１２９を通して浴室１０の外部へ排出される。
【００４２】
なお、第２の筐体１０１ｂには、排気用接続口１２９と、吸気用接続口１２８と、が設けられている。前述したように、排出経路１２７へ導かれた空気は、排気用接続口１２９を通して浴室１０の外部へ排出される。また、浴室１０に隣接する洗面所やトイレなどから吸い込まれた空気は、吸気用接続口１２８を通して筐体１０１ｂの内部へ導かれ、換気用ファン１３３ｂにより排気用接続口１２９を通して浴室１０の外部へ排出される。
【００４３】
本実施形態にかかる浴室衣類乾燥装置１００の制御手段１１０は、図１０に示したように、出力時間変更手段によって変更されたヒータ１３７の出力時間（温風乾燥時間）を、複数の温風乾燥時間に分け、複数の温風乾燥時間の間にヒータ１３７の出力を行わず浴室１０の内部の空気を循環させる時間（涼風乾燥時間）を設けている。
【００４４】
また、浴室衣類乾燥装置１００の制御手段１１０は、図１０に表したように、出力時間変更手段によって変更されたヒータ１３７の出力時間を、第１の温風乾燥時間と第２の温風乾燥時間とに分け、第１の温風乾燥時間と第２の温風乾燥時間との間に、ヒータ１３７の出力を行わず浴室１０の空気を循環させる時間を設けるとより好ましい。
【００４５】
これによれば、ヒータ１３７の出力時間の後半における浴室１０の壁１３から浴室１０の外部に逃げる熱をより減らすことが可能になるとともに、ヒータ１３７の出力を行わない涼風乾燥運転の涼風の流れを利用して、涼風乾燥時間を設けずにヒータ１３７の出力を継続して行う衣類乾燥運転に比べてヒータ１３７の出力時間を全体的に短縮することが可能になる。また、浴室１０の壁１３に蓄積された熱を衣類の方へ移動させ、衣類の乾燥を継続することができるため、省エネルギー化を図りつつ乾燥効率の向上を図ることができる。
【００４６】
本実施形態にかかる浴室乾燥装置１００のコントローラ２００には、図１１に示したように、「暖房運転」を操作する暖房ボタン２１０、「乾燥運転」を操作する乾燥ボタン２２０、「換気運転」を操作する換気ボタン２３０、「涼風乾燥運転」のみを操作する涼風ボタン２４０、「２４時間換気運転」を操作する２４時間換気ボタン２５０および浴室乾燥装置１００の電源停止をする停止ボタン２６０が設けられている。また、コントローラ２００には、夫々の運転における運転状態等を表示する表示部２７０、夫々の運転における開始時刻や運転時間を予約するための予約ボタン２８０、＋ボタン２９０および−ボタン３００が設けられている。
【００４７】
例えば、「暖房運転」を予約したい場合、まず使用者が予約ボタン２８０を一度押して表示部２７０に「暖房運転」の開始時刻を表示させる。次に＋ボタン２９０や−ボタン３００を押して「暖房運転」の開始時刻を決めた後、予約したい「暖房運転」である暖房ボタン２１０を押して「暖房運転」を設定する。その後、表示部２７０に運転時間が表示されるので、＋ボタン２９０や−ボタン３００を押して「暖房運転」の運転時間を決めた後、予約ボタン２８０を押して「暖房運転」の予約運転を確定させる。尚、「暖房運転」以外の「換気運転」、「涼風乾燥運転」においても、同様の方法によってその運転の予約運転を設定することができる。
【００４８】
「乾燥運転」を予約したい場合には、まず使用者が予約ボタン２８０を一度押して表示部２７０に「乾燥運転」の開始時刻を表示させる。次に＋ボタン２９０や−ボタン３００を押して「乾燥運転」の開始時刻を決めた後、予約したい「乾燥運転」である乾燥ボタン２２０を押して「乾燥運転」を設定する。その後、表示部２７０に運転時間が表示されるので、＋ボタン２９０や−ボタン３００を押して「乾燥運転」の運転時間を決める。所定時間が経過すると、図１２に表すように、表示部２７０に「温風乾燥運転」と「涼風乾燥運転」の時間比率が表示されるので、＋ボタン２９０や−ボタン３００を押してその時間比率を決める。そして、予約ボタン２８０を押して「暖房運転」の予約運転を確定させる。
【００４９】
よって、本実施形態にかかる浴室乾燥装置１００では、「乾燥運転」を設定する乾燥運転実行手段であるコントローラ２００の乾燥ボタン２２０と、予め決められたヒータ１３７の出力時間を、入力部である予約ボタン２８０、＋ボタン２９０および−ボタン３００に入力した入力情報に基づき変更する出力時間変更手段の制御部１１０と、を備えているため、乾燥運転におけるヒータ１３７の出力時間を使用者が状況に応じて変更でき、乾燥運転における運転設定の操作性を向上できるようになる。
【００５０】
また、本実施形態にかかる浴室乾燥装置１００では、予め決められたヒータ１３７の出力時間を変更する際に、予約ボタン２８０、＋ボタン２９０および−ボタン３００が、コントローラ２００の乾燥ボタン２２０と共に設けられているので、乾燥運転におけるヒータ１３７の出力時間を変更する操作がよりしやすくなる。また、予め決められたヒータ１３７の出力時間を変更する際に、使用者がコントローラ２００の表示部２７０に表示されたヒータ１３７の出力時間を見ながら、ヒータ１３７への出力時間の変更操作を行うことができるので、乾燥運転におけるヒータ１３７の出力時間を変更する操作がよりしやすくなる。
【００５１】
更に、本実施形態にかかる浴室乾燥装置１００では、予め決められたヒータ１３７の出力時間を変更する際に、細かな時間設定をすることなく、あらかじめ準備された候補の中から１つを選択するので、予め決められたヒータ１３７の出力時間を変更する操作をより簡略化することができ、乾燥運転におけるヒータ１３７の出力時間を変更する操作がよりしやすくなる。具体的には、乾燥運転におけるヒータ１３７の出力時間と不出力時間をそのまま示すのではなく図１２のようにそれらを割合で示すことにより、使用者が感覚的にイメージしやすくなるので、乾燥運転におけるヒータ１３７の出力時間を変更する操作がよりしやすくなる。
【００５２】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００５３】
１０  ：浴室
１１  ：天井
１２  ：ダクト
１００：浴室乾燥装置
１０１ａ：第１の筐体
１０１ｂ：第２の筐体
１１０：制御手段
１２１：吸込口
１２３：吹出口
１２５：内部流路
１３１：センサ
１３３：ファン
１３３ａ：循環用ファン
１３３ｂ：換気用ファン
１３５：ダンパ
１３７：ヒータ
１２７：排出経路
２００：コントローラ
２１０：暖房ボタン
２２０：乾燥ボタン
２３０：換気ボタン
２４０：涼風ボタン
２５０：２４時間換気ボタン
２６０：停止ボタン
２７０：表示部
２８０：予約ボタン
２９０：＋ボタン
３００：−ボタン
【図１】
2014190652.tif 000003
【図２】
2014190652.tif 000004
【図３】
2014190652.tif 000005
【図４】
2014190652.tif 000006
【図５】
2014190652.tif 000007
【図６】
2014190652.tif 000008
【図７】
2014190652.tif 000009
【図８】
2014190652.tif 000010
【図９】
2014190652.tif 000011
【図１０】
2014190652.tif 000012
【図１１】
2014190652.tif 000013
【図１２】
2014190652.tif 000014